(57)【特許請求の範囲】
【請求項１】
扉の手先側に付設する第１の目板材と、該第１の目板材との間に隙間を形成して扉枠側に付設する第２の目板材と、前記第１の目板材に付設する遮蔽材とを備えてなり、該遮蔽材は、前記第２の目板材の室外側の頂部を越えて扉枠側に突出する突片を有し、該突片の頂部は、扉の厚さ方向の中心上に位置し、扉を室外側に開操作するとき、前記第１の目板材が前記第２の目板材の室外側の頂部と干渉せず、前記突片は、前記第２の目板材に接触して室内側に弾性変形することを特徴とする内開き扉の遮蔽構造。
【請求項２】
前記突片は、先端部を室内側に湾曲させることを特徴とする請求項１記載の内開き扉の遮蔽構造。
【請求項３】
前記遮蔽材は、前記突片より厚肉の固定部を介して前記第１の目板材の保持溝に装着することを特徴とする請求項１または請求項２記載の内開き扉の遮蔽構造。
【請求項４】
前記遮蔽材は、外れ止めを有することを特徴とする請求項３記載の内開き扉の遮蔽構造。
【請求項５】
扉の手先側に付設する第１の目板材と、該第１の目板材との間に隙間を形成して扉枠側に付設する第２の目板材と、該第２の目板材に付設する遮蔽材とを備えてなり、該遮蔽材は、前記第１の目板材の室内側の頂部を越えて扉側に突出する突片を有し、該突片は、前記第１の目板材の室内側の頂部より室外側に位置し、扉を室外側に開操作するとき、前記第１の目板材の室内側の頂部が前記第２の目板材と干渉せず、前記突片は、前記第１の目板材に接触して室外側に弾性変形することを特徴とする内開き扉の遮蔽構造。
【請求項６】
前記遮蔽材は、硬質の固定部を介して前記第２の目板材の保持溝に装着することを特徴とする請求項５記載の内開き扉の遮蔽構造。
【請求項７】
前記遮蔽材は、リブを有することを特徴とする請求項５または請求項６記載の内開き扉の遮蔽構造。
【発明の詳細な説明】
【０００１】
【発明の属する技術分野】
この発明は、非常時などにおいて、内開き扉を室外側に簡単に開くことができる内開き扉の遮蔽構造に関する。
【０００２】
【従来の技術】
トイレブースなどの出入口には、内開き扉が広く使用されている。
【０００３】
従来の内開き扉は、上下のヒンジを介して扉を扉枠内に開閉自在に設置して形成されている。そこで、このものは、扉を室内側に引いて出入口を開くことができ、扉を逆方向に押して出入口を閉じることができる。すなわち、扉は、室内側に開く内開き形式であり、扉枠には、扉が室外側に回転することを阻止する戸当りが付設されている。また、戸当りは、閉じ位置の扉の手先側と扉枠との間の隙間を遮蔽し、室外側から室内が見えてしまうことを防止する。
【０００４】
【発明が解決しようとする課題】
かかる従来技術によるときは、内開き扉は、使用者が室内において倒れるなどの非常時において室外側に簡単に開くことができず、ヒンジや扉を破壊しなければならない場合も少なくないという問題があった。
【０００５】
そこで、この発明の目的は、かかる従来技術の問題に鑑み、弾性変形可能な突片を有する遮蔽材を使用することによって、非常の際などにおいて扉を室外側に簡単に開くことができる内開き扉の遮蔽構造を提供することにある。
【０００６】
【課題を解決するための手段】
かかる目的を達成するためのこの出願に係る第１発明（請求項１に係る発明をいう、以下同じ）の構成は、扉の手先側に付設する第１の目板材と、第１の目板材との間に隙間を形成して扉枠側に付設する第２の目板材と、第１の目板材に付設する遮蔽材とを備えてなり、遮蔽材は、第２の目板材の室外側の頂部を越えて扉枠側に突出する突片を有し、突片の頂部は、扉の厚さ方向の中心上に位置し、扉を室外側に開操作するとき、第１の目板材が第２の目板材の室外側の頂部と干渉せず、突片は、第２の目板材に接触して室内側に弾性変形することをその要旨とする。
【０００７】
なお、突片は、先端部を室内側に湾曲させることができる。
【０００８】
また、遮蔽材は、突片より厚肉の固定部を介して第１の目板材の保持溝に装着してもよく、外れ止めを有してもよい。
【０００９】
第２発明（請求項５に係る発明をいう、以下同じ）の構成は、扉の手先側に付設する第１の目板材と、第１の目板材との間に隙間を形成して扉枠側に付設する第２の目板材と、第２の目板材に付設する遮蔽材とを備えてなり、遮蔽材は、第１の目板材の室内側の頂部を越えて扉側に突出する突片を有し、突片は、第１の目板材の室内側の頂部より室外側に位置し、扉を室外側に開操作するとき、第１の目板材の室内側の頂部が第２の目板材と干渉せず、突片は、第１の目板材に接触して室外側に弾性変形することをその要旨とする。
【００１０】
なお、遮蔽材は、硬質の固定部を介して第２の目板材の保持溝に装着してもよく、リブを有してもよい。
【００１１】
【作用】
かかる第１発明の構成によるときは、遮蔽材は、第１の目板材に付設され、第２の目板材の室外側の頂部を越えて扉枠側に突出する突片を有するから、突片を介して第１、第２の目板材の隙間を遮蔽することができる。また、突片は、扉を室外側に開操作すると、第２の目板材に接触して室内側に弾性変形し、扉を室外側に簡単に開くことができる上、第１、第２の目板材の隙間を最小に設定することができる。なお、遮蔽材は、軟質ポリ塩化ビニルやイソプレンゴム等のエラストマの他、ニトリルゴムや天然ゴム等の弾性材料により一体成形するものとする。また、第２の目板材の室外側の頂部とは、第２の目板材の横断面形状に表われる頂部であって、扉が閉じ位置にあるとき、遮蔽材の突片より室外側に位置するものをいう。
【００１２】
先端部を室内側に湾曲させる突片は、第２の目板材に接触すると、第２の目板材の表面に沿って円滑に摺動し、室内側に容易に弾性変形することができる。
【００１３】
遮蔽材は、固定部を介して第１の目板材の保持溝に装着することにより、第１の目板材に安定に取り付けることができる。
【００１４】
遮蔽材に外れ止めを設ければ、外れ止めは、第１の目板材に係合して固定部を保持溝内に拘束し、遮蔽材が保持溝から不用意に外れるおそれがない。
【００１５】
第２発明の構成によるときは、遮蔽材は、第２の目板材に付設され、第１の目板材の室内側の頂部を越えて扉側に突出する突片を有するから、突片を介して第１、第２の目板材の隙間を遮蔽することができる。また、突片は、扉を室外側に開操作すると、第１の目板材に接触して室外側に弾性変形し、扉を室外側に簡単に開くことができる。なお、突片は、隙間を横断して第１の目板材に接触するまで突出させてもよく、遮蔽材の材質は、第１発明におけるそれと同等でよい。ただし、第１の目板材の室内側の頂部とは、第１の目板材の横断面形状に表われる頂部であって、扉が閉じ位置にあるとき、遮蔽材の突片より室内側に位置するものをいう。
【００１６】
遮蔽材は、固定部を介して第２の目板材の保持溝に装着することにより、第２の目板材に簡単に取り付けることができる。なお、固定部は、突片よりいくぶん高硬度に形成することが好ましい。
【００１７】
リブを有する遮蔽材は、リブを介し、保持溝に対する装着深さを全長に亘って容易に一定に揃えることができる。
【００１８】
【発明の実施の形態】
以下、図面を以って発明の実施の形態を説明する。
【００１９】
内開き扉の遮蔽構造は、扉１０の手先側に付設する第１の目板材３１と、扉枠側に付設する第２の目板材３２と、第１の目板材３１に付設する遮蔽材３３とを備えてなる（図１、図２）。なお、第２の目板材３２は、扉１０用の扉枠として機能する壁パネル２０に付設されている。
【００２０】
扉１０は、枠状のフレーム１１に表面材１２、１２を付設し、断熱防音用のハニカム材１２ａを収納して形成されている。扉１０は、図示しない両開き形のヒンジを介して室内側、室外側の双方に開閉可能に支持されている。なお、ヒンジは、扉１０を室内側に常時付勢しており、扉１０を閉じ位置に軽くロックすることができるものとする。壁パネル２０は、枠状のフレーム２１に表面材２２、２２を付設し、図示しないハニカム材を収納して形成されている。
【００２１】
扉１０の手先側には、スペーサ１３ａを介してスライドボルト１３が室内側に装着されており、把手１３ｂが室外側に装着されている。また、壁パネル２０の室内側には、スライドボルト１３用の係合部材１３ｃが付設されている。そこで、スライドボルト１３は、扉１０の手先側に引き出すことにより、係合部材１３ｃに係合して扉１０を閉じ位置に施錠することができ（図１の実線）、扉１０側に後退させて扉１０を開閉自在に解錠することができる（同図の二点鎖線）。なお、スライドボルト１３は、把手１３ｂに組み込む表示付きの解錠機構を介し、室外側からも解錠操作が可能である。
【００２２】
第１の目板材３１は、横断面形状が円弧状に膨出するアルミニウム形材である（図２、図３）。第１の目板材３１には、遮蔽材３３を装着する保持溝３１ａが形成されており、保持溝３１ａには、上下各一対の内向きの係合リブ３１ｃ、３１ｃ、３１ｂ、３１ｂが形成されている。なお、係合リブ３１ｃ、３１ｃは、第１の目板材３１の表面に沿って形成されている。また、第１の目板材３１は、左右の取付脚３１ｄ、３１ｄの上部に内向きのリブ３１ｅ、３１ｅが形成されており、取付脚３１ｄ、３１ｄ、リブ３１ｅ、３１ｅを介して位置決めし、止めねじ３１ｆ、３１ｆ…を介して扉１０の手先側の側端面に固定されている。なお、図３には、１個の止めねじ３１ｆのみが図示されている。
【００２３】
第２の目板材３２は、横断面形状が室外側に高く突出するアルミニウム形材である（図１、図３）。第２の目板材３２は、室外側の頂部Ｐ2 から室内側に向けて、滑らかな凹形の円弧状につづく直線状に形成されている。また、第２の目板材３２は、取付脚３２ｄ、３２ｄ、内向きのリブ３２ｅ、３２ｅを介し、壁パネル２０の側端面に装着されている。
【００２４】
扉１０を閉じ位置にセットすると、第１、第２の目板材３１、３２は、互いに相対向し、両者間に隙間ｄを形成する。隙間ｄは、扉１０、壁パネル２０の厚さ方向の中心から室内側に向けて連続的に開拡しており、室外側に向けて、ほぼ一定間隔を維持しながら扉１０側に滑らかに湾曲している。
【００２５】
遮蔽材３３は、軟質の弾性材料により一体成形されている（図２、図３）。遮蔽材３３は、厚肉の固定部３３ａに薄肉の突片３３ｂを突設して形成され、固定部３３ａの両端部には、先端部が外側に鋭角に屈曲する外れ止め３３ｃ、３３ｃが突片３３ｂと同方向に突設されている。突片３３ｂは、先端部が室内側に円弧状に湾曲して形成され、室内側に開口部分３３ｂ1 が形成されている。また、突片３３ｂの頂部は、固定部３３ａの中心Ｃ上に位置している。遮蔽材３３は、固定部３３ａの両端部をそれぞれ係合リブ３１ｂ、３１ｃの間に差し込んで保持溝３１ａに装着し、突片３３ｂを隙間ｄに突出させている。なお、外れ止め３３ｃ、３３ｃは、係合リブ３１ｃ、３１ｃに係合して固定部３３ａを外れ止めする。
【００２６】
遮蔽材３３の突片３３ｂは、扉１０が閉じ位置にあるとき（図１、図３）、第２の目板材３２の室外側の頂部Ｐ2 を越えて壁パネル２０側に突出し、隙間ｄを遮蔽する一方、扉１０を閉じ位置から室内側に開操作しても、第２の目板材３２に接触することがない。また、突片３３ｂは、扉１０を室外側に開操作すると、第２の目板材３２に接触して室内側に折れ曲がるように弾性変形し（図４の実線）、扉１０が室外側に開くことを許容する。なお、突片３３ｂは、扉１０を室外側に開くと、元の形状に復元する（同図の二点鎖線）。すなわち、遮蔽材３３は、突片３３ｂの先端部を室内側に湾曲させ、室内側の開口部分３３ｂ1 を介して突片３３ｂを室内側に大きく弾性変形させることにより、突片３３ｂを含む全体が第２の目板材３２の頂部Ｐ2 を通り抜けるために必要な隙間ｄ＝ｄ1 を最小に設定することができる。
【００２７】
かかる内開き扉の遮蔽構造は、たとえばトイレブース用の扉１０、壁パネル２０、２０に使用することができる（図５）。ただし、図５（Ｂ）は、同図（Ａ）のＸ−Ｘ線矢視相当拡大断面図である。
【００２８】
壁パネル２０、２０は、それぞれ幅木材２５上に設置されており、共通の笠木材２６を介して上部が連結されている。また、扉１０は、一方の壁パネル２０の側端面に付設する上下のヒンジ１５、１５を介して支持されている。扉１０は、吊元側、手先側の側端面に第１の目板材３１、３１が付設されており、手先側の第１の目板材３１には、遮蔽材３３が付設されている。なお、吊元側の第１の目板材３１には、遮蔽材３１ｇが保持溝３１ａに嵌め込まれている。
【００２９】
扉１０の吊元側、手先側の壁パネル２０、２０の側端面には、第２の目板材３２、３２が付設されている。なお、吊元側の第１、第２の目板材３１、３２の隙間ｄa は、ｄa ≪ｄに設定されている。そこで、扉１０を閉じ位置にセットすると、扉１０の手先側の第１、第２の目板材３１、３２は、第２の目板材３２の頂部Ｐ2 、遮蔽材３３を介して隙間ｄを遮蔽し、吊元側の第１、第２の目板材３１、３２は、第２の目板材３２の頂部Ｐ2 、遮蔽材３１ｇを介して隙間ｄa を遮蔽することができる。また、扉１０は、室内側の使用者が倒れるなどの非常時において、室外側の把手１３ｂ内の解錠機構を介してスライドボルト１３を解錠し（図５（Ｂ）の二点鎖線）、室外側に簡単に開くことができる。
【００３０】
以上の説明において、遮蔽材３３は、外れ止め３３ｃ、３３ｃを省略してもよい（図６）。このとき、遮蔽材３３は、両面テープなどを介して固定部３３ａを保持溝３１ａの係合リブ３１ｂ、３１ｃ、３１ｂ、３１ｃに固定すればよい。
【００３１】
【他の実施の形態】
第２の目板材３２には、遮蔽材３４を付設してもよい（図７、図８）。遮蔽材３４は、軟質の突片３４ｂを硬質の固定部３４ａの延長上に形成し、全体として長尺の板状に形成されている。第２の目板材３２は、室内側、室外側に頂部Ｐ2 、Ｐ2 が形成され、室外側にスリット状の保持溝３２ｃが形成されている。したがって、第２の目板材３２は、室内側、室外側の双方において第１の目板材３１との間の隙間ｄを扉１０側に湾曲させ、室内側から見たときの隙間ｄを小さくすることができる。なお、保持溝３２ｃは、壁パネル２０内にまで深く形成されている。
【００３２】
遮蔽材３４は、リブ３４ｃが室外側に形成されている。なお、リブ３４ｃは、固定部３４ａとともに硬質に形成されている。遮蔽材３４は、リブ３４ｃが第２の目板材３２の表面に当接するまで固定部３４ａを保持溝３２ｃに差し込み、適当な接着剤を介して保持溝３２ｃに装着されている。なお、突片３４ｂは、扉１０が閉じ位置にあるとき、第１の目板材３１の頂部Ｐ1 より室外側に位置し、第１の目板材３１の室内側の頂部Ｐ1 を越えて扉１０側に突出して第１の目板材３１に接触している。遮蔽材３４は、突片３４ｂを介して隙間ｄを遮蔽することができ、扉１０を室外側に開操作すると（図９）、突片３４ｂが室外側に弾性変形し、扉１０を室外側に開くことができる。
【００３３】
以上の説明において、第１の目板材３１に遮蔽材３３を装着する場合、遮蔽材３３の突片３３ｂは、第２の目板材３２の室外側の頂部Ｐ2 を越えて扉枠側に突出すること、扉１０を室外側に開操作するとき、第１の目板材３１が第２の目板材３２の頂部Ｐ2 と干渉しないことが必要である。また、第２の目板材３２に遮蔽材３４を装着する場合、遮蔽材３４の突片３４ｂは、第１の目板材３１の室内側の頂部Ｐ1 を越えて扉１０側に突出すること、扉１０を室外側に開操作するとき、第１の目板材３１の頂部Ｐ1 が第２の目板材３２と干渉しないことが必要である。そこで、以上の各条件が満たされる限り、第１、第２の目板材３１、３２は、それぞれの横断面形状を任意に設定することができる（たとえば図１０（Ａ）、（Ｂ）の各実線、各二点鎖線）。
【００３４】
【発明の効果】
以上説明したように、この出願に係る第１発明によれば、扉の手先側に付設する第１の目板材と、扉枠側に付設する第２の目板材と、第１の目板材に付設する遮蔽材とを設けることによって、遮蔽材は、第２の目板材の室外側の頂部を越えて突片を扉枠側に突出させるから、突片を介して第１、第２の目板材の隙間を遮蔽することができる上、扉を室外側に開操作すると、突片が室内側に弾性変形するから、非常の際などにおいて扉を室外側に簡単に開くことができ、第１、第２の目板材の隙間を最小に設定することができるという優れた効果がある。
【００３５】
第２発明によれば、第１、第２の目板材と、第２の目板材に付設する遮蔽材とを設けることによって、第１発明と同様の効果を実現することができる。
【図面の簡単な説明】
【図１】  全体構成横断面図
【図２】  要部分解斜視図
【図３】  図１の要部拡大説明図
【図４】  動作説明図
【図５】  使用状態説明図
【図６】  他の実施の形態を示す要部横断面図
【図７】  他の実施の形態を示す要部分解斜視図
【図８】  図７の全体構成を示す図１相当図
【図９】  図７、図８の動作説明図
【図１０】  他の実施の形態を示す要部模式説明図
【符号の説明】
ｄ…隙間
Ｐ1 、Ｐ2 …頂部
１０…扉
３１…第１の目板材
３２…第２の目板材
３１ａ、３２ｃ…保持溝
３３、３４…遮蔽材
３３ａ、３４ａ…固定部
３３ｂ、３４ｂ…突片
３３ｃ…外れ止め
３４ｃ…リブ
【図１】
0004460747.tif 000002
【図２】
0004460747.tif 000003
【図３】
0004460747.tif 000004
【図４】
0004460747.tif 000005
【図５】
0004460747.tif 000006
【図６】
0004460747.tif 000007
【図７】
0004460747.tif 000008
【図８】
0004460747.tif 000009
【図９】
0004460747.tif 000010
【図１０】
0004460747.tif 000011